(57)【要約】【課題】  回転可能なディスプレイ装置及びその装置の画面上の映像調整方法を提供する。【解決手段】  命令入力部、ディスプレイユニット、ピボット処理部、及び制御部を含み、命令入力部はユーザーが映像調整命令を入力することを許容し、ディスプレイユニットは画面上に映像をディスプレイし、ピボット処理部はディスプレイユニットの回転方向によって入力信号の映像を回転させ、回転した映像の信号をディスプレイユニットに出力し、制御部は映像調整命令とディスプレイユニットの回転方向間の関係によって画面上の映像を調整する回転可能なディスプレイ装置。それにより、画面上の映像を調整するようにユーザーにより入力される映像調整命令を処理することによって、ユーザーがディスプレイユニットの回転如何と関係なく同じ調整命令またはキーを利用して画面上の映像を容易に調整できる。【選択図】      図２
2005070777.tif 000002
【特許請求の範囲】
【請求項１】
入力信号を受信する回転可能なディスプレイ装置において、
映像調整命令が入力できる命令入力部と、
画面上に映像をディスプレイするディスプレイユニットと、
前記ディスプレイユニットの回転方向によって入力信号に対応する映像を回転させ、前記回転した映像の信号を前記ディスプレイユニットに出力する第１ピボット処理部と、
前記映像調整命令と前記ディスプレイユニットの回転方向間の関係によって前記画面上の映像を調整する制御部とを含む回転可能なディスプレイ装置。
【請求項２】
前記回転可能なディスプレイ装置は、
前記制御部から受信された制御信号によって前記第１ピボット処理部から出力される映像の信号を前記ディスプレイユニットでディスプレイできるフォーマットに変換させて出力するフォーマット変換部をさらに含むことを特徴とする請求項１に記載の回転可能なディスプレイ装置。
【請求項３】
前記制御部は前記画面上の映像に含まれているオンスクリーンディスプレイメッセージ映像及び／またはピクチャーインピクチャー（ＰＩＰ）映像の副映像を調整するための制御信号を生成することを特徴とする請求項１に記載の回転可能なディスプレイ装置。
【請求項４】
前記回転可能なディスプレイ装置は、
前記ディスプレイユニットの回転方向によって前記オンスクリーンディスプレイメッセージ画面を回転させる第２ピボット処理部をさらに含む請求項３に記載の回転可能なディスプレイ装置。
【請求項５】
回転可能なディスプレイ装置の画面上の映像調整方法において、
前記映像を調整するための命令が受信されれば、受信された映像調整命令と前記ディスプレイ装置の回転方向間の関係をチェックする段階と、
前記関係のチェック結果に基づいて前記画面上の映像を調整する段階とを含む画面調整方法。
【請求項６】
前記映像調整命令が前記映像の水平幅または水平移動を調整するためのものであり、前記ディスプレイ装置が回転したと判断されれば、
前記映像調整段階は前記画面上の映像の垂直幅または垂直移動調整を行い、
前記映像調整命令が前記映像の垂直幅または垂直移動を調整するためのものであり、前記ディスプレイ装置が回転したと判断されれば、
前記映像調整段階は前記画面上の映像の水平幅または水平移動調整を行うことを特徴とする請求項５に記載の画面調整方法。
【請求項７】
前記関係チェック段階は、前記ディスプレイ装置の回転方向が時計回り方向であるか反時計回り方向であるかをチェックする段階、
前記映像調整命令が前記映像の水平幅、水平移動、垂直幅または垂直移動を調整するためのものであるかをチェックする段階を含み、
前記映像調整段階は、
前記関係チェック結果によって前記命令により要求される映像の幅増減または映像の移動方向によるか、その反対に映像を調整することを特徴とする請求項５に記載の画面調整方法。
【請求項８】
映像調整命令によって第１映像と第２映像とをディスプレイして第１位置と第２位置間が回転できるディスプレイユニットと、
前記ディスプレイユニットの回転によって前記ディスプレイユニットに対して前記第１映像と前記第２映像とを回転させるプロセッサーユニットと、
前記映像調整命令と、前記第１位置と前記第２位置間の前記ディスプレイユニットの回転方向によって前記回転したディスプレイユニットに対して前記第１映像と前記第２映像のうち少なくとも１つを調整するためのフォーマット変換部とを含むディスプレイ装置。
【請求項９】
前記装置は、
前記第２映像でＯＳＤ映像を発生させるＯＳＤ発生部と、
前記プロセッサーユニットは外部ソースから前記第１映像に対応する第１信号を受信し、前記ＯＳＤ発生部から前記第２映像に対応する第２信号を受信し、前記回転した第１及び第２映像を生成するために前記第１信号と前記第２信号とを処理することを特徴とする請求項８に記載のディスプレイ装置。
【請求項１０】
前記第１映像はＰＩＰ映像の主映像であり、前記第２映像は前記ＰＩＰ映像の副映像であることを特徴とする請求項９に記載のディスプレイ装置。
【請求項１１】
前記装置は、
前記映像調整命令を発生させるために前記ディスプレイ装置に装着された命令入力部をさらに含み、
前記フォーマット変換部は前記ディスプレイユニットの回転方向と前記命令入力部の前記映像調整命令とによって前記第１映像及び第２映像のうち少なくとも１つのサイズを調整することを特徴とする請求項８に記載のディスプレイ装置。
【請求項１２】
前記装置は、
前記ディスプレイユニットの回転角度を含むパラメータを生成する命令入力部をさらに含み、
前記フォーマット変換部は前記ディスプレイユニットの回転方向及び前記命令入力部のパラメータによって前記第１映像及び第２映像のうち少なくとも１つのサイズを調整することを特徴とする請求項８に記載のディスプレイ装置。
【請求項１３】
前記プロセッサーユニットは、
前記ディスプレイユニットの回転によって前記回転した第１映像を生成するために外部ソースから受信された入力信号を処理するための第１ピボット処理器と、
前記ディスプレイユニットの回転によって前記回転した第２映像を生成するために前記ディスプレイ装置の内部で発生したさらに他の入力信号を処理するための第２ピボット処理器とを含むことを特徴とする請求項８に記載のディスプレイ装置。
【請求項１４】
前記回転した第１映像と前記回転した第２映像のうち少なくとも１つの幅は水平幅と垂直幅のうち１つを含むことを特徴とする
請求項８に記載のディスプレイ装置。
【請求項１５】
前記フォーマット変換部は前記回転方向と前記ディスプレイユニットの回転角度とによって前記回転した第１映像と前記回転した第２映像のうち少なくとも１つを調整することを特徴とする請求項８に記載のディスプレイ装置。
【請求項１６】
前記ディスプレイ装置は、
前記第１映像と第２映像のうち少なくとも１つを増加及び減少させるための増加キー及び減少キーを有する入力部をさらに含み、
前記回転方向は第１回転方向と前記第１回転方向に反対である第２回転方向とを含み、
前記フォーマット変換部は前記増加キー及び前記ディスプレイユニットの前記第１回転方向の操作によって前記第１映像及び第２映像のうち少なくとも１つのサイズを減少させ、前記減少キーと前記ディスプレイユニットの第２回転方向の操作によって前記第１映像及び第２映像のうち少なくとも１つのサイズを増加することを特徴とする請求項８に記載のディスプレイ装置。
【発明の詳細な説明】
【技術分野】
【０００１】
本発明は回転可能なディスプレイ装置に係り、特に、ディスプレイ装置の回転方向によって画面上の映像が調整できる回転可能なディスプレイ装置及びその装置の画面上の映像を調整する方法に関する。
【背景技術】
【０００２】
回転可能なディスプレイ装置は画面本体を水平または垂直位置に回転させうるピボット機能を有する。前記ディスプレイ装置が回転されれば、画面上の映像も前記ディスプレイ装置の回転方向によって調整される。
【０００３】
例えば、図１に示されたように画面の本体が垂直位置に時計回り方向（ＣＷ）または反時計回り方向（ＣＣＷ）に回転されれば、画面上にディスプレイされる映像も同じ方向に回転する。もし前記映像がＯＳＤ（オンスクリーンディスプレイ）メッセージまたはＰＩＰ（ピクチャーインピクチャー）副映像を含めば、前記ＯＳＤメッセージまたは副映像も同一な方向に回転する。
【０００４】
しかし、回転した後、前記回転可能なディスプレイ装置は映像に対する調整機能及び／またはキーが変わらない状態でユーザーは画面上の映像を調整せねばならない。例えば、回転した画面上の映像またはＯＳＤメッセージを垂直方向に移動させるためにユーザーが垂直移動キーを制御すれば、画面またはＯＳＤメッセージは水平方向に移動される。したがって、ユーザーは回転した画面上の映像を垂直または水平方向に移動しようとする時、所望の方向と反対である移動キーを制御せねばならない。また、回転したＯＳＤメッセージ映像に対する調整機能と回転したＯＳＤメッセージ映像を考慮してＯＳＤメッセージ映像を調整するための命令を入力せねばならない。ＰＩＰ副映像を調整する時にもユーザーは回転する前の元のＰＩＰ副映像の位置と回転した後、ＰＩＰ副映像の位置を考慮して適切な調整命令を入力せねばならない。
【特許文献１】大韓民国特許公開第２００２−００４１１９９号
【特許文献２】特開平６−２７４３０７号公報
【特許文献３】特開平８−１７１３７８号公報
【特許文献４】米国特許公開第５，７７４，２３３号
【発明の開示】
【発明が解決しようとする課題】
【０００５】
本発明が解決しようとする技術的課題は回転可能なディスプレイ装置の回転方向によって映像が調整できる回転可能なディスプレイ装置及びその装置の画面上の映像調整方法を提供するところにある。
【課題を解決するための手段】
【０００６】
前記技術的課題を解決するために本発明は、入力信号を受信する回転可能なディスプレイ装置において、映像調整命令が入力できる命令入力部と、画面上に映像をディスプレイするディスプレイユニットと、前記ディスプレイユニットの回転方向によって入力信号に対応する映像を回転させ、前記回転した映像の信号を前記ディスプレイユニットに出力する第１ピボット処理部と、前記映像調整命令と前記ディスプレイユニットの回転方向間の関係によって前記画面上の映像を調整する制御部とを含む回転可能なディスプレイ装置を提供する。
【０００７】
前記回転可能なディスプレイ装置は、制御部から受信された制御信号によって第１ピボット処理部から出力される映像の信号をディスプレイユニットでディスプレイできるフォーマットに変換させるフォーマット変換部をさらに含むことが望ましい。
【０００８】
前記制御部は前記画面上の映像に含まれているオンスクリーンディスプレイメッセージの映像及び／またはピクチャー・イン・ピクチャーの副映像を調整するための命令が生成できる。
【０００９】
前記回転可能なディスプレイ装置は、前記ディスプレイユニットの回転方向によって前記オンスクリーンディスプレイメッセージ画面を回転させる第２ピボット処理部をさらに含むことが望ましい。
【００１０】
前記技術的課題を達成するために本発明は、映像調整命令が受信されれば、受信された映像調整命令とディスプレイ装置の回転方向間の関係をチェックする段階と、チェックされた結果に基づいて画面上の映像を調整する段階とを含む画面調整方法を提供する。
【００１１】
前記映像調整命令が映像の水平幅または水平移動を調整するためのものであって、前記ディスプレイ装置が回転したと判断されれば、前記映像調整段階は前記画面上の映像の垂直幅または垂直移動調整を行い、前記映像調整命令が前記映像の垂直幅または垂直移動を調整するためのものであって、前記ディスプレイ装置が回転したものと判断されれば、前記映像調整段階は前記画面上の映像の水平幅または水平移動調整を行うことが望ましい。
【００１２】
前記関係チェック段階は、前記ディスプレイ装置の回転方向が時計回り方向であるか、反時計回り方向であるかをチェックする段階、前記映像調整命令が前記映像の水平幅または水平移動または垂直幅または垂直移動を調整するためのものであるかをチェックする段階を含み、前記映像調整段階は、前記チェック結果によって前記命令により要求される映像の幅の増減または映像の移動方向によるか、その反対に映像を調整することが望ましい。
【発明の効果】
【００１３】
本発明はディスプレイユニットの回転方向によって画面上の映像を調整するようにユーザーにより入力される映像調整命令を処理することによって、ユーザーがディスプレイユニットの回転如何と関係なく同じ調整命令またはキーを利用して画面上の映像を容易に調整できる。
【発明を実施するための最良の形態】
【００１４】
以下、本発明の望ましい実施例を示した図面を参照して本発明をさらに詳細に説明する。
【００１５】
図２は、本発明の実施例による回転可能なディスプレイ装置の機能ブロック図である。本発明による回転可能なディスプレイ装置は命令入力部２０１、制御部２０２、第１ピボット処理部２０３、フォーマット変換部２０４、ＯＳＤ発生部２０５、第２ピボット処理部２０６、駆動部２０７及びディスプレイユニット２０８を含みうる。
【００１６】
命令入力部２０１はユーザーによる映像調整命令入力が許容できる。前記映像調整命令は画面上の映像の水平幅または垂直幅を増減するための命令及び前記映像の水平位置または垂直位置を移動するための命令を含みうる。前記映像のサイズの増減命令及び映像の位置移動命令は（＋）／（−）キーを使用して行える。
【００１７】
ディスプレイユニット２０８が回転した状態で命令入力部２０１から映像調整命令が受信されれば、制御部２０２は受信された映像調整命令とディスプレイユニット２０８の回転方向間の関係を考慮してディスプレイユニット２０８の画面上の映像を調整するための制御信号が出力できる。
【００１８】
すなわち、受信された映像調整命令が映像の水平幅の増減命令であれば、制御部２０２はディスプレイユニット２０８のピボット角度を表す変数がチェックできる。前記変数はディスプレイユニット２０８が回転する時、自動で設定されるか、ユーザーにより設定される。
【００１９】
もし前記変数からディスプレイユニット２０８が時計回り方向に９０°回転したと判断され、前記映像調整命令が映像の水平幅を広げるためのもの（（＋）キーを使用したもの）であれば、制御部２０２は映像の垂直幅を広げるための制御信号を出力する。
【００２０】
もし前記変数からディスプレイユニット２０８がＣＷに９０°回転したと判断され、前記映像調整命令が前記映像の水平幅を狭めるためのもの（（−）キーを使用したもの）であれば、制御部２０２は映像の垂直幅を狭めるための制御信号が出力できる。
もし前記変数からディスプレイユニット２０８が反時計回り方向に９０°回転したと判断され、前記映像調整命令が前記映像の水平幅を広げるためのもの（（＋）キーを使用したもの）であれば、制御部２０２は映像の垂直幅を狭めるための制御信号が出力できる。
【００２１】
もし前記変数からディスプレイユニット２０８がＣＣＷに９０°回転したと判断され、前記映像調整命令が前記映像の水平幅を狭めるためのもの（（−）キーを使用したもの）であれば、制御部２０２は映像の垂直幅を広げるための制御信号が出力できる。
【００２２】
もし前記変数からディスプレイユニット２０８がＣＷに９０°回転したと判断され、前記映像調整命令が前記映像の垂直幅を広げるためのもの（（＋）キーを使用したもの）であれば、制御部２０２は前記映像の水平幅を狭めるための制御信号を出力し、前記映像調整命令が前記映像の垂直幅を狭めるためのもの（（−）キーを使用したもの）であれば、制御部２０２は前記映像の水平幅を広げるための制御信号が出力できる。
【００２３】
もし前記変数からディスプレイユニット２０８がＣＣＷに９０°回転したと判断され、前記映像調整命令が前記映像の垂直幅を広げるための命令（（＋）キー）であれば、制御部２０２は映像の水平幅を広げるための制御信号を出力し、前記映像調整命令が前記映像の垂直幅を狭めるための命令（（−）キー）であれば、制御部２０２は映像の水平幅を狭めるための制御信号が出力できる。
【００２４】
前述した映像を調整するための制御信号は第１制御信号と定義でき、フォーマット変換部２０４に提供される。
【００２５】
また、制御部２０２は前記変数に基づいて入力される信号の映像を回転させるために前記映像に対応する入力信号を処理するための第２制御信号とＯＳＤメッセージ映像を回転させるための第３制御信号とを生成し、前記第２制御信号と第３制御信号とを第１ピボット処理部２０３と第２ピボット処理部２０６とにそれぞれ出力する。
【００２６】
したがって、前記変数により現れるディスプレイユニット２０８の回転状態と前記映像調整命令とによって制御部２０２から生成される第１制御信号は表１のように定義できる。
【００２７】
【表１】
2005070777.tif 000003
表１でＶ＋は映像の垂直幅を広げるための制御信号であり、Ｖ−は映像の垂直幅を狭めるための制御信号で、Ｈ＋は映像の水平幅を広げるための制御信号で、Ｈ−は映像の水平幅を狭めるための制御信号である。
【００２８】
第１ピボット処理部２０３は制御部２０２から第２制御信号が受信でき、ディスプレイユニット２０８の回転方向によって入力信号の映像を回転させうる。もしディスプレイユニット２０８がＣＷに９０°回転した場合に、第１ピボット処理部２０３は入力信号の映像をＣＷに９０°回転させうる。もしディスプレイユニット２０８がＣＣＷに９０°回転した場合に、第１ピボット処理部２０３は入力信号の映像をＣＣＷに９０°回転させうる。
【００２９】
この時、入力信号の映像はベースピクチャー、テレビプログラム、ケーブルピクチャーまたはＰＩＰピクチャーでありうる。もし前記映像がＰＩＰピクチャーであれば、入力信号の映像は２映像を有するので、第１ピボット処理部２０３は２映像に対して独立的に回転処理を行う。第１ピボット処理部２０３は回転した映像に対する信号をフォーマット変換部２０４に伝送できる。
【００３０】
ＯＳＤ発生部２０５は制御部２０２から生成されたＯＳＤ制御信号によってＯＳＤメッセージが発生できる。発生したＯＳＤメッセージは第２ピボット処理部２０６に伝えられうる。
【００３１】
第２ピボット処理部２０６は制御部２０２から提供される第３制御信号により入力されるＯＳＤメッセージの映像を回転させうる。前記第３制御信号はディスプレイユニット２０８の回転方向によって生成されうる。したがって、ディスプレイユニット２０８がＣＷに９０°回転した場合に、第２ピボット処理部２０６はＯＳＤメッセージ映像をＣＷに９０°回転させうる。ディスプレイユニット２０８がＣＣＷに９０°回転した場合に、第２ピボット処理部２０６はＯＳＤメッセージの映像をＣＣＷに９０°回転させうる。回転したＯＳＤメッセージ映像に対する信号はフォーマット変換部２０４に伝送されうる。
【００３２】
もし制御部２０２により生成される第２制御信号及び第３制御信号が前記変数が‘０’であることを表せば、ディスプレイユニット２０８が回転されていないことを表すので、第１ピボット処理部２０３と第２ピボット処理部２０６とはピボットまたは回転なしに入力される信号の映像をフォーマット変換部２０４に通過させうる。第１ピボット処理部２０３と第２ピボット処理部２０６とはディスプレイユニット２０８の回転によってディスプレイユニット２０８にディスプレイされる第１映像及び第２映像を回転させるプロセッサーユニットと定義できる。前記第１映像は外部ソースから提供される映像であり、第２映像は本発明によるディスプレイ装置の内部で発生する映像である。例えば、ディスプレイユニット２０８にディスプレイされる映像がＰＩＰフォーマットを有するなら、第１映像は主映像であり、第２映像は副映像である。また、第２映像はＯＳＤメッセージ映像でありうる。
【００３３】
フォーマット変換部２０４は制御部２０２により生成された第１制御信号により第１ピボット処理部２０３から出力される映像信号と第２ピボット処理部２０６から出力される映像信号とをディスプレイユニット２０８でディスプレイできるフォーマットに変換させて出力できる。
【００３４】
駆動部２０７はフォーマット変換部２０４から出力される信号が受信でき、フォーマット変換部２０４で出力される信号がディスプレイユニット２０８上の画面にディスプレイできるようにディスプレイユニット２０８を駆動させうる。
【００３５】
ディスプレイユニット２０８は駆動部２０７により制御されて入力信号に対応する映像、ＯＳＤメッセージまたはＰＩＰ映像を画面上にディスプレイできる。
【００３６】
図３は、回転可能なディスプレイ装置の画面上の映像調整方法を示す動作フローチャートである。前記方法は図２及び図３を参照して説明する。図３は、制御部２０２にピボット角度を表す変数が既に設定された場合である。前記変数はディスプレイユニット２０８の回転方向によって自動的にまたはユーザーにより設定される。
【００３７】
図２及び図３を参照すれば、第３０１段階でディスプレイユニット２０８の映像調整モードが設定され、第３０２段階で映像調整命令が受信されたと判断されれば、第３０３段階でユーザーにより要求された映像調整命令が水平幅調整命令であるかをチェックする。
【００３８】
第３０３段階で前記映像調整命令が水平幅調整命令と判断されれば、第３０４段階で前記変数がディスプレイユニット２０８がＣＷに９０°回転したこと（ＣＷ＿９０）を表すかがチェックできる。
【００３９】
第３０４段階でもし前記変数がディスプレイユニット２０８がＣＷ＿９０であると判断されれば、第３０５段階でディスプレイユニット２０８の画面上の映像の垂直幅が調整できる。すなわち、ユーザーにより（＋）キーが制御されるか、水平幅増加命令が入力されれば、前記画面上の映像の垂直幅を増加させうる。もしユーザーにより（−）キーが制御されるか、水平幅減少命令が入力されれば、前記画面上の映像の垂直幅が減少できる。
【００４０】
第３０４段階で前記変数がディスプレイユニット２０８がＣＷに９０°回転したこと（ＣＷ＿９０）を表さなければ、第３０６段階で前記変数がディスプレイユニット２０８がＣＣＷに９０°回転したこと（ＣＣＷ＿９０）を表しているかがチェックできる。
【００４１】
第３０６段階で前記変数がディスプレイユニット２０８がＣＣＷに９０°回転したこと（ＣＣＷ＿９０）を表せば、第３０７段階でディスプレイユニット２０８の画面上の映像の垂直幅が調整できる。すなわち、ユーザーにより（＋）キーが制御されるか、水平幅増加命令が入力されれば、画面上の映像の垂直幅が減少させうる。一方、ユーザーにより（−）キーが制御されるか水平幅減少命令が入力されれば、画面上の映像の垂直幅が増加できる。
【００４２】
第３０６段階で前記変数がディスプレイユニット２０８がＣＣＷに９０°回転したこと（ＣＣＷ＿９０）でないことを表せば、第３０８段階で前記画面上の映像の水平幅Ｈ−ＷＩＤＴＨを調整する。もしユーザーにより（＋）キーが制御されるか、水平幅Ｈ−ＷＩＤＴＨの増加命令が入力されれば、第３０８段階で前記画面の映像の水平幅Ｈ−ＷＩＤＴＨが増加できる。もしユーザーにより（−）キーが制御されるか、水平幅減少命令が入力されれば、第３０８段階で前記画面の映像の水平幅Ｈ−ＷＩＤＴＨが減少できる。
【００４３】
一方、第３０３段階で前記映像調整命令が水平幅調整命令でなければ、第３０９段階で前記映像調整命令が垂直幅調整命令であるかがチェックできる。
【００４４】
第３０９段階でユーザーにより水平幅調整命令が入力されたと判断されれば、第３１０段階で前記ディスプレイユニット２０８がＣＷに９０°回転したこと（ＣＷ＿９０）を前記変数が表しているかがチェックできる。
【００４５】
第３１０段階で前記ディスプレイ装置２０８がＣＷに９０°回転したこと（ＣＷ＿９０）を前記変数が表せば、第３１１段階でディスプレイユニット２０８の画面上の映像の水平幅を調整する。もしユーザーにより（＋）キーが制御されるか、垂直幅増加命令が入力されれば、第３１１段階で、ディスプレイユニット２０８の画面上の映像の水平幅を狭める。一方、ユーザーにより（−）キーが制御されるか、垂直幅減少命令が入力されれば、ディスプレイユニット２０８の画面上の映像の垂直幅を広げる。
【００４６】
第３１０段階で前記ディスプレイユニット２０８がＣＷに９０°回転したこと（ＣＷ＿９０）を前記変数が表さなければ、第３１２段階で前記変数に基づいて前記ディスプレイユニット２０８がＣＣＷに９０°回転したことＣＣＷ＿９０であるかがチェックできる。
【００４７】
第３１２段階でディスプレイユニット２０８がＣＣＷに９０°回転したこと（ＣＣＷ＿９０）を前記変数が表せば、第３１３段階でディスプレイユニット２０８の画面上の映像の水平幅を調整する。もしユーザーにより（＋）キーが制御されるか、垂直幅増加命令が入力されれば、第３１３段階で前記画面上の映像の水平幅を広げる。もしユーザーにより（−）キーが制御されるか、垂直幅減少命令が入力されれば、ディスプレイユニット２０８の画面上の映像の水平幅を狭める。
【００４８】
第３１２段階でディスプレイユニット２０８がＣＣＷに回転したことＣＣＷ＿９０を前記変数が表さなければ、第３１４段階でディスプレイユニット２０８の画面上の映像の垂直幅が調整できる。もしユーザーにより（＋）キーが制御されるか、垂直幅増加命令が入力されれば、第３１４段階で前記画面上の映像の垂直幅Ｖ−ＷＩＤＴＨが増加できる。もしユーザーにより（−）キーが制御されるか、垂直幅減少命令が入力されれば、第３１４段階で前記画面上の映像の垂直幅が減少できる。
【００４９】
第３０９段階でユーザーにより水平幅調整命令が入力されていないと判断されれば、第３０３段階に戻る。
【００５０】
前述の実施例は画面上の映像の垂直幅または水平幅が調整できる。しかし、前記ディスプレイ装置は本発明によって画面上の映像の垂直移動または水平移動を調整するように具現されうる。垂直移動または水平移動を制御するためのファンクションキーは方向キーが利用できる。前記画面上の映像の垂直及び水平幅を調整する機能と前記画面上の映像の垂直及び水平移動を調整する機能を結合させうる。
【００５１】
したがって、本願発明による方法は前記映像調整命令が前記映像の水平幅または水平移動を調整するためのものであって、前記ディスプレイ装置が回転したと判断されれば、前記画面上の映像の垂直幅または垂直移動調整を行い、前記映像調整命令が前記映像の垂直幅または垂直移動を調整するためのものであって、前記ディスプレイ装置が回転したと判断されれば、前記画面上の映像の水平幅または水平移動調整を行える。
【００５２】
また、本願発明による方法は、前記ディスプレイ装置の回転方向がＣＷであるか、ＣＣＷであるかと、前記映像調整命令が前記映像の水平幅または水平移動を調整するためのものか、または前記映像の垂直幅または垂直移動を調整するためのものかによって、前記映像調整命令により要求される映像の幅増減または映像の移動方向によるか、その反対に記画面上の映像を調整する。
【産業上の利用可能性】
【００５３】
本発明はディスプレイされる画面を水平幅、垂直幅、水平移動または垂直移動のように調整できる回転可能なディスプレイ装置に適用可能である。
【図面の簡単な説明】
【００５４】
【図１】水平位置から垂直位置に回転した回転可能なディスプレイ装置の画面例である。
【図２】本発明の実施例によって回転可能なディスプレイ装置を示す機能ブロック図である。
【図３】本発明の他の実施例によって回転可能なディスプレイ装置の画面上の映像調整方法を示す動作フローチャートである。
【符号の説明】
【００５５】
２０１  命令入力部
２０２  制御部
２０３  第１ピボット処理部
２０４  フォーマット変換部
２０５  ＯＳＤ発生部
２０６  第２ピボット処理部
２０７  駆動部
２０８  ディスプレイユニット
【図１】
2005070777.tif 000004
【図２】
2005070777.tif 000005
【図３】
2005070777.tif 000006